(57)【要約】      （修正有） 【課題】水中における迅速かつ微妙な動きを阻害することがなくより釣果を上げることができるラトル音を発する疑似餌を提供する。【解決手段】内部に発音体としてのラトル１２が封入された空洞部１３が設けられた疑似餌であって、空洞部１３は疑似餌本体１１の前後方向に沿って設けられると共に空洞部１３には前室部１４と後室部１５とを仕切る間仕切り部１６が設けられ、ラトル１２は、前室部１４内に封入されている。【選択図】図２
0003196182.tif 000002
【実用新案登録請求の範囲】
【請求項１】
内部に発音体が封入された空洞部が設けられた疑似餌であって、前記空洞部は疑似餌本体の前後方向に沿って設けられると共に前記空洞部には前室部と後室部とを仕切る間仕切り部が設けられ、前記発音体は、前記前室部内に封入されていることを特徴とする疑似餌。
【請求項２】
前記空洞部は疑似餌本体の頭部から尾部に亘って連続して設けられた単一の空隙部として形成され、前記間仕切部は前記空洞部の中間部に設けられていることを特徴とする請求項１記載の疑似餌。
【請求項３】
前記疑似餌本体は合成樹脂製であると共に前記発音体は金属製であることを特徴とする請求項１記載の疑似餌。
【請求項４】
前記疑似餌本体はＡＢＳであると共に前記発音体はスチール製であることを特徴とする請求項２記載の疑似餌。
【請求項５】
前記発音体は直径３ｍｍであることを特徴とする請求項３記載の疑似餌。
【請求項６】
イカ用疑似餌であることを特徴とする請求項３記載の疑似餌。
【請求項７】
前記発音体により発生する音は４００ＨＺ〜８００ＨＺであることを特徴とする請求項６記載の疑似餌。
【考案の詳細な説明】
【技術分野】
【０００１】
本考案は、疑似餌の改良に関する。
【背景技術】
【０００２】
現在、様々な形態、構造の疑似餌が販売されて使用されている。このような疑似餌には疑似餌本体内部に空洞を設け、空洞内に、例えば金属製の小径の球からなるラトルを封入したものがある。
【０００３】
このような疑似餌は、水中に投入された場合に発生する水流抵抗により疑似餌本体が振動し、内部のラトルが空洞部内側面部又は相互に衝接することにとりいわゆるラトル音を発し、魚の注意を喚起させて釣りやすくし釣果を上げるように構成されている（特許文献１）。
【０００４】
しかしながら、このような従来の疑似餌にあっては、ラトルは所定の重量があることから、疑似餌本体内のどの位置に収納するかによって、疑似餌の姿勢及び重量バランスは異なってくる。
【０００５】
従って、釣りの際には釣り人は釣り糸を介して疑似餌に対して「シャクリ」、「フォール」及び「ダート」等の複雑な動きの操作を行うものであるが、ラトルの収納部位によっては、このような微妙かつ迅速な動きを制限してしまう場合もあった。
【０００６】
従って、従来より、疑似餌の水中における迅速かつ微妙な動きを阻害しないように構成され、より釣果を上げ得る疑似餌が要請されていた。
【特許文献１】特開２００２―２１８８６５号公報
【考案の開示】
【考案が解決しようとする課題】
【０００７】
本考案は従来からの不具合を解決するためのものであって、その課題は、水中における迅速かつ微妙な動きを阻害することがなくより釣果を上げることができるラトル音を発する疑似餌を提供することにある。
【課題を解決するための手段】
【０００８】
上記課題達成のため、請求項１記載の考案にあっては、内部に発音体が封入された空洞部が設けられた疑似餌であって、前記空洞部は疑似餌本体の前後方向に沿って設けられると共に前記空洞部には前室部と後室部とを仕切る間仕切り部が設けられ、前記発音体は、前記前室部内に封入されていることを特徴とする。
従って、請求項１記載の考案にあっては、疑似餌本体の前部に発音体としてのラトルが収納されている。
【０００９】
請求項２記載の考案にあっては、前記空洞部は疑似餌本体の頭部から尾部に亘って連続して設けられた単一の空隙部として形成され、前記間仕切部は前記空洞部の中間部に設けられていることを特徴とする。
従って、請求項２記載の考案にあっては、疑似餌本体の中間部よりも頭部側に発音体としてのラトルが収納されている。
【００１０】
請求項３記載の考案にあっては、疑似餌本体は合成樹脂製であると共に前記発音体は金属製であることを特徴とする。
請求項４記載の考案にあっては、前記疑似餌本体はＡＢＳであると共に前記発音体はスチール製であることを特徴とする。
【００１１】
請求項５記載の考案にあっては、前記発音体は直径３ｍｍであることを特徴とする。
請求項６記載の考案にあっては、イカ用疑似餌であることを特徴とする。
【００１２】
請求項７記載の考案にあっては、前記発音体により発生する音は４００ＨＺ〜８００ＨＺであることを特徴とする。
【考案の効果】
【００１３】
請求項１〜５記載の考案にあっては、疑似餌本体の前部に所定の重量がある発音体としてのラトルが収納されていることから、発音体を収納した状態における疑似餌本体の重心を疑似餌本体の前部側に設定することができる。
【００１４】
その結果、釣り人が釣り糸を介して似餌に対し「シャクリ」、「フォール」及び「ダート」等の複雑な動きの操作を行った場合であっても、重心が疑似餌本体の長さ方向における前部側に設定されていることから、頭部側を基準として尾部側が激しく振動することとなり、「シャクリ」及び「フォール」における上下方向の動き、及び「ダート」における左右方向における微妙な激しい動きを全く阻害することがなく、疑似餌本来の動きを損なうことがないラトル音を発することができる。
【００１５】
請求項６〜７記載の考案にあっては、研究の結果イカは６００ＨＺ前後の音が聴きやすいことが知見として得られていることから、この知見に基づき、最もイカが好むラトル音を発することが可能となることから、良好な釣果を挙げることができるイカ用疑似餌を提供することができる。
【図面の簡単な説明】
【００１６】
【図１】本考案に係る疑似餌をイカ用疑似餌に滝用した場合を示す側面図である。
【図２】本考案に係る疑似餌をイカ用疑似餌に提供した場合における疑似餌本体の半裁縦断面図である。
【図３】本考案に係る疑似餌を作成する場合の参考にしたアオリイカの内耳オーディオグラムを示すグラフである。
【考案を実施するための最良の形態】
【００１７】
以下、添付図面に示す実施の形態に基づき、本考案をイカ用疑似餌に適用した場合を例に詳細に説明する。
図１及び図２に示すように、本実施の形態に係るイカ用疑似餌１０は、疑似餌本体１１内に発音体としてのラトル１２が封入された空洞部１３が設けられ、前記空洞部１３は疑似餌本体１１の前後方向に沿って設けられている。
【００１８】
空洞部１３は疑似餌本体１１の頭部１７から尾部１８に亘って、疑似餌本体１１の略全域に亘って連続して設けられた単一の空隙部として形成され、間仕切部１６は前記空洞部１３の中間部１９に設けられている。
【００１９】
空洞部１３には前室部１４と後室部１５とを仕切る間仕切り部１６が設けられており、間仕切部１６は空洞部１３の幅方向全域に亘って設けられ、空洞部１３を前室部１４と後室部１５とに完全に画成しており、ラトル１２は、前記前室部１４内に封入されている。
【００２０】
本実施の形態にあっては、疑似餌本体１１はＡＢＳ製であると共にラトル１２はスチール製で直径３ｍｍに形成され、本実施の形態にあっては５個収納されている。
【００２１】
また、アオリイカの聴覚徳性は様々な学術研究者により研究され、その結果、図３に示すように、アオリイカが４００ＨＺ〜１４００ＨＺの可聴域を有すること（Ａ）及び、６００ＨＺの音を最もよく聞き取ることができること（Ｂ）が知得されている。従って、本実施の形態にあっては、アオリイカの最も聞き取りやすい６００ＨＺ前後の音域で音が高くなる傾向を示すように、ラトル１２により発生する音は４００ＨＺ〜８００ＨＺであるように設定されている。
【００２２】
以下、本実施の形態に係るイカ用疑似餌１０の作用について説明する。
本実施の形態に係るイカ用疑似餌１０が釣りに使用され、釣り糸により水中で牽引され、「シャクリ」、「フォール」及び「ダート」等の複雑な動きの操作を行った場合であっても、発音体としてのラトル１２は空洞部１３の前室部１４に収納され、重心が疑似餌本体１１の長さ方向における前部側に設定されていることから、頭部１７側を基準として尾部１８側が激しく振動することとなり、「シャクリ」及び「フォール」における上下方向の動き、及び「ダート」における左右方向における微妙な激しい動きを全く阻害することがなく、疑似餌本来の動きを損なうことがないラトル音を発することができる。
【００２３】
また、従来、アオリイカに対して使用されるラトル入りの疑似餌にあっては、アオリイカがどのような音域が最も聴きやすいか、という観点からの考察がされていなかったものであるが、本実施の形態にあっては、ラトルにより発生する音は４００ＨＺ〜８００ＨＺであるように構成されアオリイカの最も聞きやすい６００ＨＺ付近のラトル音を発することから、アオリイカの釣果を確実かつ合理的に増大することが可能となる。
【００２４】
なお、本実施の形態にあっては、疑似餌本体がＡＢＳ製であると共にラトルがスチール製である場合を例に説明したが、本実施の形態には限定されず、他の素材であってもよい。また、ラトル１２の直径が３ｍｍの場合を例に説明したがこの直径に限定されず、収納する個数も限定されない。
【産業上の利用可能性】
【００２５】
本考案は疑似餌に係ることから水産業に広く適用できるため、産業上の利用可能性を有している。
【符号の説明】
【００２６】
１０  イカ用疑似餌  
１１  疑似餌本体
１２  ラトル（発音体）
１３  空洞部
１４  前室部
１５  後室部
１６  間仕切部
１７  頭部
１８  尾部
１９  中間部
【図１】
0003196182.tif 000003
【図２】
0003196182.tif 000004
【図３】
0003196182.tif 000005